(57)【要約】【課題】  はしごを使用しないときは、昇降路内の正面側から外れた内側面部に格納しておき、使用時には、この格納位置から乗場敷居に接近した位置まで容易に移動させることができる、構造が簡単で取扱性に優れたピットはしご装置を提供すること。【解決手段】  エレベータ乗りかごが昇降する昇降路１１の最下部に形成されたピットと乗場出入口１３との間で、作業員が昇り降りするためのピットはしご装置で、はしご２２を、昇降路１１内の、乗場出入口１３が設けられた正面とほぼ直角を成す内側面に、前記エレベータ乗りかごとの干渉を生じない状態で格納させるとともに、はしご２２を、その上端部分が乗場出入口１３の敷居１４近くに位置する使用位置に、任意に移動させる移動機構２１を有する。【選択図】図１
2007062862.tif 000002
【特許請求の範囲】
【請求項１】
エレベータ乗りかごが昇降する昇降路の最下部に形成されたピットと乗場出入口との間で、作業員が昇り降りするためのピットはしご装置であって、
はしごを、前記昇降路内の、前記乗場出入口が設けられた正面とほぼ直角を成す内側面に、前記エレベータ乗りかごとの干渉を生じない状態で格納させるとともに、このはしごを、その上端部分が前記乗場出入口の敷居近くに位置する使用位置に、任意に移動させる移動機構を有する
ことを特徴とするピットはしご装置。
【請求項２】
移動機構は、
昇降路内の正面と内側面とが交わる隅部内側に設けられたヒンジにより、前記正面に沿う使用位置と前記内側面に沿う格納位置とに回動可能なアーム状の取付けブラケットを有し、この取付けブラケットの自由端側に、はしごを縦向けに取り付けた構成である
ことを特徴とする請求項１記載のピットはしご装置。
【請求項３】
移動機構は、
アーム状取付けブラケットの自由端側に一端を接続したロープと、
昇降路の内側面に設けられ、前記ロープに巻き取り方向の力を与える自閉装置とを、
さらに有することを特徴とする特徴とする請求項２記載のピットはしご装置。
【請求項４】
移動機構は、
アーム状の取付けブラケットを、ヒンジを中心として、正面に沿う使用位置と内側面に沿う格納位置とに回動させる回転駆動装置を
さらに有することを特徴とする請求項２記載のピットはしご装置。
【請求項５】
移動機構は、
昇降路内におけるエレベータ乗りかごの位置を検出するかご位置検出装置と、
このかご位置検出装置により、エレベータ乗りかごが、使用位置に移動したはしごと干渉しない位置にあることを検出すると、乗場出入口に設けた開閉扉側の作動体と結合する結合装置と、
この結合装置により前記開閉扉側の作動体と結合し前記開閉扉の開動作により前記はしごを前記使用位置に移動させる連動ロープとを、
さらに有することを特徴とする請求項２または請求項３記載のピットはしご装置。
【請求項６】
移動機構は、
はしごを構成する一方の縦枠が昇降路内の正面近くに位置し、はしご面が前記昇降路の内側面に対向する状態で立設されたはしごの下端部を回動可能に枢支するヒンジと、
前記はしごの上端部近くの前記内側面に設けられ、一端が前記はしごの上部に連結したロープを繰り出し可能で、前記はしごの前記ヒンジを中心とした回動により、このはしごの前記一方の縦枠の上端部分が前記乗場出入口の敷居近くに移動した状態で前記ロープを固定するロープ繰り出し装置とを、
さらに有することを特徴とする請求項１記載のピットはしご装置。
【請求項７】
はしごは、一対の縦枠とこれら一対の縦枠間に掛け渡された複数のステップとからなり、各ステップ両端の各縦枠との連結部を回動可能として折り畳み可能に構成し、
このはしごを、その一方の縦枠が昇降路内側面の正面と交わる隅部近くに固定し、非折り畳み時における他方の縦枠が乗場出入口の敷居近くに位置するように設置し、
移動機構として、前記昇降路内側面に設けられ、一端が前記はしごの前記他方の縦枠と連結したロープを巻き取るロープ巻き取り装置を用い、このロープの巻取りにより前記はしごを前記内側面に沿った格納状態に折り畳み、巻き戻しによって前記はしごを乗場出入口側に展開させる
ことを特徴とする請求項１記載のピットはしご装置。
【発明の詳細な説明】
【技術分野】
【０００１】
本発明は、エレベータ乗りかごが昇降する昇降路の最下部に形成されたピットと乗場出入口との間で、作業員が昇り降りするために用いられるピットはしご装置に関する。
【背景技術】
【０００２】
一般に、エレベータの乗りかごが昇降する昇降路の最下部にはピットが形成されており、点検や補修などのメンテナンス作業を行うため、作業員がこのピット内に降りることがある。この場合、作業員は最下階のエレベータ乗場から、その出入口を開け、ピットとの間に設けられたはしごを用いてピットに対する上り下りを行っている。
【０００３】
従来のこの種のピットはしご装置を、図２３及び図２４で説明する。図２３の平面図で示すように、エレベータ乗りかご（図示せず）が昇降する昇降路１１内には、その両内側面に沿って、前記乗りかごを昇降案内する一対のガイドレール１２が垂直に立設されている。また、この昇降路１１の正面には、最下階の乗場（図示下方）との出入口１３が形成されており、その下部には、図示しない扉を開閉可能に案内支持する乗場敷居１４が設けられている。
【０００４】
１６ははしごで、図示のように、一方のガイドレール１２によって水平方向に取り付けられたブラケット１７により、前記出入口１３に近寄せて垂直に設けられている。すなわち、はしご１６は、昇降路１１内の、乗りかごと干渉しない内側面に沿った位置において、ブラケット１７に固定取付られている。
【０００５】
このような構成のため、作業員が乗場からピットに降りるときは、乗場敷居１４から手を伸ばしてはしご１６を掴み、体をはしご１６上に移動させてピットに降りることになる。ピットから乗場に戻るときは、その逆の動作が必要となる。また、はしご１６をブラケット１７から取り外せる脱着式のものもあるが、このような脱着式のものでも、はしご１６をブラケット１７から取り外したり反対に取り付けたりするためには、作業者は乗場敷居１４から手を伸ばした不安定な状態で作業せざるを得なかった。
【０００６】
このように、はしご１６が固定式であっても、或いは着脱式であっても、作業員は乗場敷居１４から手を伸ばした不安定な状態で作業しなければならす、乗場敷居１４からブラケット１７に取り付けられたはしご１６までの距離が長い場合、不安定度は一層大きくなり、安全上問題であった。
【０００７】
このような問題に対し、格納位置にあるはしごを、回転やスライドにより乗場敷居近くの使用位置に移動することにより、作業員の不安定な姿勢による動作を防止した提案がなされている（例えば、特許文献１参照）
【特許文献１】特開２００３−３２７３７２号公報
【発明の開示】
【発明が解決しようとする課題】
【０００８】
上記構成では、作業員の不安定な姿勢による動作を防止できるが、はしごを使用しないとき、はしごを昇降路内の正面側に沿った位置に格納していた。
【０００９】
しかし、昇降路内の正面側には、乗場出入口が設けられ、その扉開閉機構などが設けられているので、これに加えてはしごを格納したり、その使用位置への移動のための回転機構やスライド機構を設けたりすると、構造が複雑化し、取扱やメンテナンスが難しくなる。
【００１０】
本発明の目的は、はしごを使用しないときは、昇降路内の正面から外れた内側面部に格納しておき、使用時には、この格納位置から乗場敷居に接近した位置まで容易に移動させることができる、構造が簡単で取扱性に優れたピットはしご装置を提供することにある。
【課題を解決するための手段】
【００１１】
本発明のピットはしご装置は、エレベータ乗りかごが昇降する昇降路の最下部に形成されたピットと乗場出入口との間で、作業員が昇り降りするためのピットはしご装置であって、はしごを、前記昇降路内の、前記乗場出入口が設けられた正面とほぼ直角を成す内側面に、前記エレベータ乗りかごとの干渉を生じない状態で格納させるとともに、このはしごを、その上端部分が前記乗場出入口の敷居近くに位置する使用位置に、任意に移動させる移動機構を有することを特徴とする。
【００１２】
本発明では、移動機構は、昇降路内の正面と内側面とが交わる隅部内側に設けられたヒンジにより、前記正面に沿う使用位置と前記内側面に沿う格納位置とに回動可能なアーム状の取付けブラケットを有し、この取付けブラケットの自由端側に、はしごを縦向けに取り付けた構成である。
【００１３】
また、本発明では、移動機構は、アーム状取付けブラケットの自由端側に一端を接続したロープと、昇降路の内側面に設けられ、前記ロープに巻き取り方向の力を与える自閉装置とをさらに有する。
【００１４】
また、本発明では、移動機構は、アーム状の取付けブラケットを、ヒンジを中心として、正面に沿う使用位置と内側面に沿う格納位置とに回動させる回転駆動装置を設けてもよい。
【００１５】
また、本発明では、移動機構は、昇降路内におけるエレベータ乗りかごの位置を検出するかご位置検出装置と、このかご位置検出装置により、エレベータ乗りかごが、使用位置に移動したはしごと干渉しない位置にあることを検出すると、乗場出入口に設けた開閉扉側の作動体と結合する結合装置と、この結合装置により前記開閉扉側の作動体と結合し前記開閉扉の開動作により前記はしごを前記使用位置に移動させる連動ロープとをさらに有する構成でもよい。
【００１６】
また、本発明では、移動機構は、はしごを構成する一方の縦枠が昇降路内の正面近くに位置し、はしご面が前記昇降路の内側面に対向する状態で立設されたはしごの下端部を回動可能に枢支するヒンジと、前記はしごの上端部近くの前記内側面に設けられ、一端が前記はしごの上部に連結したロープを繰り出し可能で、前記はしごの前記ヒンジを中心とした回動により、このはしごの前記一方の縦枠の上端部分が前記乗場出入口の敷居近くに移動した状態で前記ロープを固定するロープ繰り出し装置とをさらに有する構成でもよい。
【００１７】
さらに、本発明では、はしごは、一対の縦枠とこれら一対の縦枠間に掛け渡された複数のステップとからなり、各ステップ両端の各縦枠との連結部を回動可能として折り畳み可能に構成し、このはしごを、その一方の縦枠が昇降路内側面の正面と交わる隅部近くに固定し、非折り畳み時における他方の縦枠が乗場出入口の敷居近くに位置するように設置し、移動機構として、前記昇降路内側面に設けられ、一端が前記はしごの前記他方の縦枠と連結したロープを巻き取るロープ巻き取り装置を用い、このロープの巻取りにより前記はしごを前記内側面に沿った格納状態に折り畳み、巻き戻しによって前記はしごを乗場出入口側に展開させるようにしてもよい。
【発明の効果】
【００１８】
本発明によれば、はしごの非使用時は、このはしごを昇降路の内側面に沿って格納し、使用時は乗場敷居近くに移動させるようにしたので、乗場出入口が設けられた昇降路内正面の構成を簡素化でき、ピットはしご装置としての取扱性及びメンテナンス性を向上させることができる。
【発明を実施するための最良の形態】
【００１９】
以下、本発明によるピットはしご装置の一実施の形態について、図面を用いて詳細に説明する。
【００２０】
図１で示す実施の形態では、エレベータ乗りかごが昇降する昇降路１１の最下部にピットが形成され、メンテナンス時には作業員が、はしごにより乗場出入口１３との間で昇り降りを行う。昇降路１１内の両内側面には、ガイドレール１２がそれぞれ垂直に立設され、また乗場出入口１３には乗場敷居１４が設置されている。
【００２１】
２１は移動機構で、はしご２２を、その非使用時には、昇降路１１の内側面に、図示しないエレベータ乗りかごとの干渉を生じないように格納させる。この内側面とは、図示のように、乗場出入口１３が設けられた正面とほぼ直角を成す面を言う。また、はしご２２の使用時には、このはしご２２を、図２で示すように、その上端部分が乗場出入口１３の敷居１４近くに位置する使用位置まで移動させる。
【００２２】
すなわち、この移動機構２１は、ヒンジ２３により一端が回動可能に軸支されたアーム状の取付けブラケット２４を有する。この取付けブラケット２４の自由端側には、はしご２２が縦向けに取り付けられており、常時は固定具２６により、昇降路１１の内側面に固定され、格納されている。また、ヒンジ２３は、昇降路１１内の正面と内側面とが交わる隅部内側に設けられており、取付けブラケット２４の自由端側に取り付けられたはしご２２が、昇降路１１内の正面に沿う使用位置と内側面に沿う格納位置とにそれぞれ位置するように、取付けブラケット２４を回動可能に支持する。２５は引掛け棒で、先端には、はしご２２に対する引掛け部２５ａが形成されており、はしご２２の引き寄せや押し戻しなどに用いられる。
【００２３】
上記構成において、通常時、はしご２２は、図１で示すように、昇降路１１内の内側面に沿った格納位置に、固定具２６によって固定されており、図示しない乗りかごの昇降動作に干渉しないように格納されている。ピット内での作業を行う場合は、乗りかごを、昇降路１１内において、最下階より上方に停止させ、移動しないように電気的・機械的なロックを掛ける。
【００２４】
作業員は、最下階における乗場出入口１３の図示しないドアを開き、引掛け棒２５を操作して、固定具２６によるはしご２２の固定を解除する。この後、先端引掛け部２５ａをはしご２２に引掛け、引き寄せる。この操作により、はしご２２を取り付けたアーム状の取付けブラケット２４はヒンジ２３を軸に図示左回りに回動し、その自由端側に取り付けられたはしご２２は、図２で示すように、その上端部分が乗場敷居１４に接近した使用位置に移動する。この使用位置において、はしご２２を固定具２６により乗場敷居１４に固定する。
【００２５】
このため作業員は、乗場敷居１４に接近した使用位置にあるはしご２２を用いてピットに対して安定した状態で降りたり、或いは登ったりすることができ、安全性が向上する。なお、はしご２２を図１の状態に格納する場合は、上記と逆の操作を行えばよい。
【００２６】
ここで、はしご２２は、非使用時は、昇降路１１の正面から外れた内側面に格納されているので、従来のように非使用時においても昇降路の正面部分に位置してこの部分の構造を複雑化することはない。また、はしご２２は、ヒンジ２３により回動可能なアーム状の取り付けブラケット２４に取り付けられているので、引掛け具２５を用いれば、昇降路１１の正面から外れた内側面の格納位置から容易に移動させ、或いは格納させることができる。このため、取扱性に優れ、この面からも安全性が向上する。
【００２７】
次に、図３乃至図５で示す実施の形態を説明する。この実施の形態の基本構造は、図１及び図２で示したものと同様であり、はしご２２は、図３で示すように、ヒンジ２３により一端が回動可能に軸支されたアーム状取付けブラケット２４の自由端側に取り付けられている。この実施の形態では、移動機構２１として、図４で示すように、アーム状取付けブラケット２４の自由端側に一端を接続したロープ２８を設けると共に、このロープ２８に巻き取り方向の力を与える自閉装置２９を設けている。この自閉装置２９は、昇降路１１の内側面に設けられ、図５で示すように、ばね力などにより巻取り力が与えられている巻取り車２９ａを有する。
【００２８】
上記構成において、通常時は、はしご２２を取り付けたアーム状取付けブラケット２４は、図３で示すように、その自由端側に接続したロープ２８が自閉装置２９によって巻き取られているので、昇降路１１内の内側面に沿って位置する。すなわち、はしご２２は、昇降路１１内の内側面に沿った格納位置に、固定具２６によって固定されており、図示しない乗りかごの昇降動作に干渉しないように配置されている。
【００２９】
ピット内での作業を行う場合は、乗りかごを、昇降路１１内の最下階より上方の位置に停止させ、移動しないように電気的・機械的なロックを掛ける。この状態で、作業員は、最下階における乗場出入口１３の図示しないドアを開き、引掛け棒２５を操作して、固定具２６によるはしご２２の固定を解除し、先端引掛け部２５ａをはしごに引掛け、引き寄せる。この操作により、アーム状の取付けブラケット２４は、自閉装置２９の巻取り力に抗してロープ２８を引き伸ばしながら、ヒンジ２３を軸に図示左回りに回動する。このため、その自由端側に取り付けられたはしご２２は、図４で示すように、その上端部分が乗場敷居１４に接近した使用位置に移動する。この使用位置において、はしご２２を固定具２６により固定する。
【００３０】
このため作業員は、乗場敷居１４に接近した使用位置にあるはしご２２を用いてピットに対して安定した状態で降りたり、或いは登ったりすることができ、安全性が向上する。
【００３１】
はしご２２を図３の状態に格納する場合は、図４の状態において固定具２６を解除操作することにより、アーム状の取付けブラケット２４は、ロープ２８を介して自閉装置２９の巻取り力によりヒンジ２３を軸に図示右回りに回動する。そして、最終的に図３で示す格納状態に復帰する。
【００３２】
ここで、はしご２２は、非使用時は、昇降路１１の正面から外れた内側面に位置しているので、昇降路１１の正面部分の構造を簡素化できる。また、はしご２２は、ヒンジ２３により回動可能なアーム状の取り付けブラケット２４に取り付けられているので、引掛け具２５を用いれば、昇降路１１の正面から外れた内側面の格納位置から容易に移動させることができる、さらに、使用後は、固定具２６を解除操作することにより、自閉装置２９の巻取り力により、自動的にもとの格納位置に復帰させることができる。このため、取扱性に優れ、この面からも安全性が向上する。
【００３３】
次に、図６乃至図８で示す実施の形態を説明する。この実施の形態の基本構造も、図１及び図２で示したものと同様であり、はしご２２は、図６で示すように、ヒンジ２３により一端が回動可能に軸支されたアーム状取付けブラケット２４の自由端側に取り付けられている。この実施の形態では、移動機構２１として、ヒンジ２３を中心にアーム状取付けブラケット２４を、図６で示す昇降路１１の内側面に沿う格納位置と、図７で示す昇降路１１の正面に沿う使用位置とに回動させる回転駆動機構３１を設けている。この回転駆動装置３１としては、例えば、図８で示すように、ヒンジ２３と直結して、モータなどによりアーム状取付けブラケット２４に回動力を与えるものを用いる。この回転駆動装置３１に対してはリモコン式の操作スイッチ３２を設け、この回転駆動装置３１を、開及び閉方向に回転指令できるように構成する。
【００３４】
上記構成において、通常時、はしご２２は、アーム状取付けブラケット２４が、図６で示すように、昇降路１１内の内側面に沿って位置することから、この内側面に近くの格納位置に、図示しない乗りかごの昇降動作に干渉しないように配置されている。
【００３５】
ピット内での作業を行う場合は、乗りかごを、昇降路１１内の最下階より上方位置に停止させ、移動しないように電気的・機械的なロックを掛ける。この状態で、作業員は、最下階における乗場出入口１３の図示しないドアを開き、リモコン式の操作スイッチ３２を操作して回転駆動装置３１に対して開操作指令を与える。この操作により、アーム状の取付けブラケット２４は、回転駆動装置３１によりヒンジ２３を軸に図示左回りに回転駆動される。すなわち、開方向に駆動される。このため、その自由端側に取り付けられたはしご２２は、図７で示すように、その上端部分が乗場敷居１４に接近した使用位置に移動する。
【００３６】
このようにして乗場敷居１４に接近した使用位置にあるはしご２２を用いて、作業員はピットに対して安定した状態で降りたり、或いは登ったりすることができ、安全性が向上する。
【００３７】
はしご２２を図６の状態に格納する場合は、図７の状態においてリモコン式の操作スイッチ３２を操作して回転駆動装置３１に対して閉操作指令を与える。この操作により、アーム状の取付けブラケット２４は、回転駆動装置３１によりヒンジ２３を軸に図示右回りに回転駆動される。すなわち、閉方向に駆動される。そして、最終的に図６で示す格納状態に復帰する。
【００３８】
ここで、はしご２２は、非使用時は、昇降路１１の正面から外れた内側面に位置しているので、昇降路１１の正面部分の構造を簡素化できる。また、はしご２２は、ヒンジ２３により回動可能なアーム状の取り付けブラケット２４に取り付けられ、このブラケット２４は回転駆動機構３１により回転駆動されるので、リモコン式の操作スイッチ３２により回転駆動装置３１に対して開／閉指令を与えることにより、はしご２２を、昇降路１１の正面から外れた内側面の格納位置から使用位置に容易に移動させ、或いはもとの格納位置に容易に復帰させることができる。このため、取扱性に優れ、この面からも安全性が向上する。
【００３９】
次に、図９乃至図１５に示す実施の形態を説明する。この実施の形態では、乗場出入口に設けられた扉の開動作に連動して、はしごを使用位置に移動させている。
【００４０】
この実施の形態でも、はしご２２は、図９で示すように、ヒンジ２３により一端が回動可能に軸支されたアーム状取付けブラケット２４の自由端側に取り付けられている。また、アーム状取付けブラケット２４の自由端側に、図１２で示すように、ロープ２８の一端を接続すると共に、このロープ２８に巻き取り方向の力を与える自閉装置２９（図５で示したものと同じもの）を設けている。
【００４１】
また、乗場敷居１４上には、乗場出入口１３を開閉する両開き式の一対の扉３４が図示横方向にスライド可能に設けられている。この扉３４の一方には、ロープ３５及び錘３６からなる扉自閉装置３７が接続されており、図示しない扉開閉機構による開閉駆動力が解除されたとき、扉３４が自動的に閉動作するように構成している。
【００４２】
前記はしご２２は、上記扉３４の開動作に連動して使用位置まで移動するように、図１０で示すように、連動ロープ３８の一端と接続している。この連動ロープ３８の他端は結合装置３９により、扉３４側の作動体（前述の扉自閉装置３７を構成するロープ）３５と、分離可能に結合する。すなわち、結合装置３９は、扉３４側の作動体３５に対し、図１１で示す分離状態と、図１５で示す結合状態との２つの態様で使用される。
【００４３】
ここで、昇降路１１内では、図１４で示すようにエレベータ乗りかご４１がガイドレール１２に案内されて昇降動作する。この昇降路１１内には、乗りかご４１の位置を検出する位置検出装置４２を設ける。この位置検出装置４２は、乗りかご４１が、図１４で示すように、最下階の乗場出入口１３から外れた上方位置に移動したことを検出して、前記結合装置３９に結合指令を出力する。
【００４４】
上記構成において、通常時は、はしご２２を取り付けたアーム状取付けブラケット２４は、図９で示すように、その自由端側に接続したロープ２８が自閉装置２９によって巻き取られているので、昇降路１１内の内側面に沿って位置し、はしご２２は、昇降路１１内の乗りかごの昇降動作に干渉しないように配置されている。
【００４５】
ピット内での作業を行う場合は、図１４で示すように、乗りかご４１を、昇降路１１内において最下階より上方に停止させ、移動しないように電気的・機械的なロックを掛ける。この状態で、作業員は、最下階における乗場出入口１３の扉３４を開操作する。このとき、図１４で示した位置検出装置４２は、乗りかご４１が最下階の乗場出入口１３より上方に位置していることを検出して、結合装置３９に対し結合指令を出力している。このため、結合装置３９は、図１５で示すように、連動ロープ３８を扉３４側の作動体（ロープ）３５に結合させる。
【００４６】
この状態で、上述のように扉３４を開くと、連動ロープ３８は図１３で示すように作動体３５により引き上げられ、はしご２２を、乗場敷居１４側に引き寄せる。このため、はしご２２を取り付けたアーム状の取付けブラケット２４は、自閉装置２９の巻取り力に抗してロープ２８を引き伸ばしながら、ヒンジ２３を軸に図示左回りに回動する。このため、はしご２２は、図１２で示すように、その上端部分が乗場敷居１４に接近した使用位置に移動する。
【００４７】
作業員は、乗場敷居１４に接近した使用位置にあるはしご２２を用いてピットに対して安定した状態で降りたり、或いは登ったりすることができ、安全性が向上する。
【００４８】
ピットでのメンテナンス終了後、はしご２２を元の格納位置に戻す場合は、最下階における乗場出入口１３の扉３４を閉操作する。この閉操作により、扉側の作動体３５は図１３の状態から下降し、連動ロープ３８によるはしご２２への引き寄せ力を解除する。このため、アーム状の取付けブラケット２４は、ロープ２８を介して自閉装置２９の巻取り力によりヒンジ２３を軸に図示右回りに回動する。そして、最終的に図９で示した格納状態に復帰する。
【００４９】
なお、メンテナンス時以外では、乗りかご４１は最下階の出入口と対向する位置にも、当然に停止し、扉３４は図示しない扉開閉装置により開動作される。このとき、扉３４の開動作により、はしご２２が使用位置に移動すると、乗りかご４１と干渉することになるので、はしご２２を移動させてはならない。
【００５０】
このとき結合装置３９は、位置検出装置４２からの結合指令が出力されていないので図１１で示すように分離状態にある。したがって、扉３４の開動作により作動体３５が引き上げられても、連動ロープ３８は図９及び図１０の状態を維持し、はしご２２を、乗場敷居１４側に移動させることはない。
【００５１】
ここで、はしご２２は、非使用時は、昇降路１１の正面から外れた内側面に位置しているので、昇降路１１の正面部分の構造を簡素化できる。また、はしご２２は、ヒンジ２３により回動可能なアーム状の取り付けブラケット２４に取り付けられているので、扉３４の開動作に連動して、格納位置から容易に移動させることができる。さらに使用後は、扉３４の閉操作により、自閉装置２９の巻取り力により、自動的にもとの格納位置に復帰させることができる。このため、取扱性に優れ、この面からも安全性が向上する。
【００５２】
次に、図１６乃至図１９で示す実施の形態を説明する。この実施の形態では、昇降路１１の内側面に沿って格納されていたはしご２２を傾斜させることにより、乗場敷居１４近くの使用位置に移動させている。
【００５３】
この実施の形態では、はしご２２の移動機構２１は、昇降路１１の内側面に沿って立設されたはしご２２の下端部を回動可能に枢支するヒンジ４４を有する。このとき、はしご２２は、その一方の縦枠が乗場出入口１３を設けた正面近くに位置し、はしご面が、昇降路１１の内側面と対向するように配置されている。ヒンジ４４は、図１９で示すように、はしご２２の両縦枠の下端とピット床との間に設けられ、はしご２２を図１７で示すように傾斜させることができる。
【００５４】
また、前記はしご２２の上端部にはロープ４５の一端が接続されている。このロープ４５は、はしご２２の上端部近くの内側面に設けられたロープ繰り出し装置４６により巻き取られている。このロープ繰り出し装置４６は、例えば、図１８で示すように電動式のもので、リモコン式の操作スイッチ４７により、ロープ４５を巻き取ったり、任意の長さ繰り出したりすることができる。
【００５５】
上記構成において、通常時、はしご２２は、図１６で示すように、その上端に接続したロープ４５がロープ繰り出し装置４６によって巻き取られているので、昇降路１１内の内側面に沿って位置し、昇降路１１内の乗りかごの昇降動作に干渉しないように配置されている。
【００５６】
ピット内での作業を行う場合は、図示しない乗りかごを、昇降路１１内において最下階より上方に停止させ、移動しないように電気的・機械的なロックを掛ける。この状態で、作業員は、リモコン式の操作スイッチ４７を操作して、はしご２２の上部に連結したロープ４５を、ロープ繰り出し装置４６から所定長さ繰り出す。この操作によりはしご２２は、ヒンジ４４を中心として回動し、図１７で示すように、その一方の縦枠の上端部分が乗場敷居１４近くに移動した状態に傾斜する。この状態で、ロープ繰り出し装置４６によりロープ４５を固定する。
【００５７】
このため作業員は、乗場敷居１４に接近した使用位置にあるはしご２２を用いてピットに対して安定した状態で降りたり、或いは登ったりすることができ、安全性が向上する。
【００５８】
はしご２２を図１６の状態に格納する場合は、図１７の状態においてリモコン式の操作スイッチ４７を操作してロープ繰り出し装置４６を巻き取り方向に回転させる。この操作により、はしご２２は、その上端に接続されたロープ４５がロープ繰り出し装置４６によって巻き取られるため、下端のヒンジ４４を軸として図示右回りに回動し、最終的に図１６で示す垂直な格納状態に復帰する。
【００５９】
ここで、はしご２２は、非使用時は、昇降路１１の正面から外れた内側面に位置しているので、昇降路１１の正面部分の構造を簡素化できる。また、はしご２２は、ヒンジ４４により回動可能に構成され、かつ、はしご２２の上端にはロープ繰り出し装置４６により、所定長さ繰り出し／巻き取り可能なロープ４５が接続されているので、リモコン式の操作スイッチ４７を操作することにより、はしご２２を、昇降路１１の正面から外れた内側面の格納位置から使用位置に容易に移動させ、さらに、もとの格納位置に容易に復帰させることができる。このため、取扱性に優れ、この面からも安全性が向上する。
【００６０】
次に、図２０乃至図２２に示す実施の形態を説明する。この実施の形態では、昇降路１１の内側面に沿って折り畳み状に格納していたはしご２２を、使用時に展開して、乗場敷居１４近くの使用位置に移動させている。
【００６１】
この実施の形態では、はしご２２は、一対の縦枠２２ａ，２２ｂと、これらの間に掛け渡された複数のステップ２２ｃとからなり、図２２で示すように、各ステップ２２ｃの両端の、各縦枠２２ａ，２２ｂとの連結部２２ｃａ、２２ｃｂをそれぞれ回動可能として、図２０（ｂ）で示すように、折り畳み可能に構成している。
【００６２】
このはしご２２は、図２０で示すように、その一方の縦枠２２ｂが、昇降路１１の内側面の、正面と交わる隅部近くに、取付けアングル４８により固定されている。そして、図２１で示すように、非折り畳み時（使用時）に、他方の縦枠２２ａが乗場敷居１４近くに位置するように設置している。
【００６３】
このはしご２２に対する移動機構２１としては、一端がはしご２２の他方の縦枠２２ａと連結したロープ４９、及び、昇降路１１の内側面に設けられ、ロープ４９を巻き取るロープ巻き取り装置５０を用いる。このロープ４９の巻取りにより、はしご２２を図２０で示す内側面に沿った格納状態に折り畳み、かつ、巻き戻すことによって、はしご２２を図２１のように乗場敷居１４近くに展開させる。
【００６４】
なお、ロープ巻き取り装置５０としては、図１８で示したロープ繰り出し装置４６と同様のものを用いればよい。また、このロープ巻き取り装置５０に対しては、リモコン式の操作スイッチ５１を設けている。
【００６５】
上記構成において、通常時、はしご２２は、図２０で示すように、その上端に接続したロープ４９がロープ巻き取り装置５０によって巻き取られているので、昇降路１１内の内側面に沿って折り畳まれて位置し、昇降路１１内の乗りかごの昇降動作に干渉しないように配置されている。
【００６６】
ピット内での作業を行う場合は、図示しない乗りかごを、昇降路１１内において最下階より上方に停止させ、移動しないように電気的・機械的なロックを掛ける。この状態で、作業員は、リモコン式の操作スイッチ５１を操作して、はしご２２の上部に連結したロープ４９を、ロープ巻き取り装置５０から所定長さ繰り出す。この操作によりはしご２２は、図２１で示すように、折り畳み状態から展開され、その一方の縦枠２２ａの上端部分が乗場敷居１４近くに移動した状態に位置する。
【００６７】
このため作業員は、乗場敷居１４に接近した使用位置にあるはしご２２を用いてピットに対して安定した状態で降りたり、或いは登ったりすることができ、安全性が向上する。
【００６８】
はしご２２を図２０の状態に格納する場合は、図２１の状態においてリモコン式の操作スイッチ５１を操作してロープ巻き取り装置５０を巻き取り方向に回転させる。この操作により、はしご２２は、一方の縦枠２２ａの上端に接続されたロープ４９がロープ巻き取離装置５０によって巻き取られるため、各ステップ２２ｃの両端の連結部２２ｃａ，２２ｃｂが回動し、最終的に図２０で示すように折り畳まれ、垂直な格納状態に復帰する。
【００６９】
ここで、はしご２２は、非使用時は、昇降路１１の正面から外れた内側面に位置しているので、昇降路１１の正面部分の構造を簡素化できる。また、はしご２２は、各ステップ２２ｃの両端の連結部２２ｃａ，２２ｃｂを回動可能に構成し、かつ一方の縦枠２２ａの上端には、ロープ巻き取り装置５０により所定長さ繰り出し／巻き取り可能なロープ４９が接続されているので、リモコン式の操作スイッチ５１を操作することにより、はしご２２を、昇降路１１の正面から外れた内側面の格納位置から使用位置に容易に移動させ、もとの格納位置に容易に復帰させることができる。このため、取扱性に優れ、この面からも安全性が向上する。
【図面の簡単な説明】
【００７０】
【図１】本発明によるピットはしご装置の一実施の形態を示す平面図である。
【図２】同上一実施の形態におけるはしごの使用状態を示す平面図である。
【図３】本発明の、自閉装置を用いた実施の形態を示す平面図である。
【図４】同上実施の形態におけるはしごの使用状態を示す平面図である。
【図５】同上実施の形態に用いる自閉装置を示す斜視図である。
【図６】本発明の、回転駆動装置を用いた実施の形態を示す平面図である。
【図７】同上実施の形態におけるはしごの使用状態を示す平面図である。
【図８】同上実施の形態に用いる回転駆動装置を示す斜視図である。
【図９】本発明の、乗り場出入り口扉と連動させる実施の形態を示す平面図である。
【図１０】図９で示した出入り口扉をかご内面側から見た正面図である。
【図１１】同上実施の形態で用いる結合装置の分離状態を示す拡大正面図である。
【図１２】同上実施の形態におけるはしごの使用状態を示す平面図である。
【図１３】図１２で示した出入り口扉を昇降路内から見た正面図である。
【図１４】同上実施の形態における昇降路内のかごと最下階乗り場出入口との関係を示す側面図である。
【図１５】同上実施の形態で用いる結合装置の結合状態を示す拡大正面図である。
【図１６】本発明の、はしごを傾斜して使用する実施の形態を示しており、（ａ）は平面図、（ｂ）は、はしご部分の正面図である。
【図１７】同上実施の形態におけるはしごの使用状態を示しており、（ａ）は平面図、（ｂ）は、はしご部分の正面図である。
【図１８】同上実施の形態に用いるロープ繰り出し装置を示す斜視図である。
【図１９】同上実施の形態に用いるヒンジを示す斜視図である。
【図２０】本発明の、折りたたみ式のはしごを使用する実施の形態を示しており、（ａ）は平面図、（ｂ）は、はしご部分の正面図である。
【図２１】本発明の、はしごを傾斜して使用する実施の形態を示しており、（ａ）は平面図、（ｂ）は、はしご部分の正面図である。
【図２２】同上実施の形態に用いる折り畳み式はしごの要部を示す拡大図である。
【図２３】従来技術を説明する昇降路の平面図である。
【図２４】従来技術を説明するはしご部分の正面図である。
【符号の説明】
【００７１】
１１    昇降路
１３    乗場出入口
１４    乗場敷居
２１    移動機構
２２    はしご
２３，４４    ヒンジ
２４    アーム状の取り付けブラケット
２８，４５，４９    ロープ
２９    自閉装置
３１    回転駆動装置
３２，４７，５１    リモコン式の操作スイッチ
３４    扉
３５    扉側の作動体
３８    連動ロープ
３９    結合装置
４１    エレベータ乗りかご
４２    位置検出装置
４６    ロープ繰り出し装置
５０    ロープ巻き取り装置
【図１】
2007062862.tif 000003
【図２】
2007062862.tif 000004
【図３】
2007062862.tif 000005
【図４】
2007062862.tif 000006
【図５】
2007062862.tif 000007
【図６】
2007062862.tif 000008
【図７】
2007062862.tif 000009
【図８】
2007062862.tif 000010
【図９】
2007062862.tif 000011
【図１０】
2007062862.tif 000012
【図１１】
2007062862.tif 000013
【図１２】
2007062862.tif 000014
【図１３】
2007062862.tif 000015
【図１４】
2007062862.tif 000016
【図１５】
2007062862.tif 000017
【図１６】
2007062862.tif 000018
【図１７】
2007062862.tif 000019
【図１８】
2007062862.tif 000020
【図１９】
2007062862.tif 000021
【図２０】
2007062862.tif 000022
【図２１】
2007062862.tif 000023
【図２２】
2007062862.tif 000024
【図２３】
2007062862.tif 000025
【図２４】
2007062862.tif 000026